(57)【要約】【課題】本発明は、ケーブルの固定作業において、品質的危惧が発生せずかつ、作業性の良い光ファイバケーブルを提供するものである。【解決手段】ケーブル外被３に、ケーブルを壁面に固定する釘等を打付けるための厚肉部３１を長手方向に連続して設けた光ファイバケーブルとする。そして厚肉部３１には、釘等を通すための貫通穴３０を長手方向に間欠的に設けてもよい。この舌状張出し部３１に直接固定金具（Ｕ字釘や小鋲やネジ）を打付けてケーブルを固定するか、貫通穴３０に固定金具を通して、更に打付けるか締め込むことにより安全にケーブルを固定できる。【選択図】        図２
2004354786.tif 000002
【特許請求の範囲】
【請求項１】
ケーブル外被の断面形状を左右非対称として、該外被に固定金具を打込める厚肉部を設けたことを特徴とする光ファイバケーブル。
【請求項２】
前記厚肉部に、固定金具を通し得る貫通穴を長手方向に間欠的に設けたことを特徴とする請求項１に記載の光ファイバケーブル。
【請求項３】
ケーブル外被の断面形状が略矩形であることを特徴とする請求項１または２に記載の光ファイバケーブル。
【発明の詳細な説明】
【０００１】
【発明の属する技術分野】
本発明は、局内や屋内の配線に適する光ファイバケーブルに関する。
【０００２】
【従来の技術】
局内や屋内の配線用に使われる光ファイバケーブルとして、局内光ファイバケーブルや屋内光ファイバケーブルと呼称されるものがある。これらのケーブルの配線において、ケーブルを床面や壁面に固定する必要がある場合は、ケーブル外被にＵ字釘や小鋲を打付けるか、ネジで押さえつけたりして固定していた。しかし、ケーブルが細く外被も薄いこれらのケーブルをこのような金具で固定する際には、内部の光ファイバ心線を傷つける恐れが付きまとっていた。
【０００３】
従来の局内光ファイバケーブルの例を図４に示す（非特許文献１参照）。１０は光ファイバテープ心線で、平行に並んだ光ファイバ１の複数本が一括樹脂被覆されたものである。この例は４心の光ファイバテープ心線１０の周囲に抗張力性繊維２を充填して補強し、その外周に外被３を設けたケーブルを示し、断面はほぼ矩形を呈している。このケーブルを壁面に固定するには、光ファイバの存在しないケーブルの縁部に固定金具（前記の、Ｕ字釘や小鋲やネジ）を通すことになるが、許容される縁部の幅は非常に狭く、これを外せば内部の光ファイバに必ず損傷を与えるという位厳しいものである。光ファイバに損傷を与えると、断線するか、断線しなくても破断寿命を縮めて信頼性を損なうことになる。
【０００４】
したがって、このような配線作業には細心の注意が必要で、多くの時間を要するため作業性が悪く、品質上も、経済性の観点からも大きな問題となっていた。
【０００５】
【非特許文献１】
２０００年８月版「住友電工光ケーブルネットワーク配線システム総合カタログ」４２頁
【０００６】
【発明が解決しようとする課題】
本発明は、上記の問題を解決する光ファイバケーブルを提供するもので、ケーブルを固定金具により壁面に固定する際に、品質的危惧が発生しない、作業性の良い光ファイバケーブルを提供するものである。
【０００７】
【課題を解決するための手段】
本発明は、ケーブル外被の断面形状を左右非対称として、該外被に固定金具を打込める厚肉部を設けた光ファイバケーブルであり、前記厚肉部に、固定金具を通し得る貫通穴を長手方向に間欠的に設けても良く、ケーブル外被の断面形状が略矩形である場合は特に使い勝手が良いものとなる。
【０００８】
ケーブル外被の厚肉部には直接固定金具を打付けてケーブルを固定しても良いし、貫通穴に固定金具を通して、更に打付けるか締め込む等により安全にケーブルを固定することができる。
【０００９】
厚肉部（以下、打付け部とも言う）とは、ケーブル断面における外被の厚肉部で、その内部に光ファイバを含まない部分である。したがって、打付けスペースに、Ｕ字釘や小鋲やネジと言った固定金具を安全に通すことができる。
【００１０】
【発明の実施の形態】
従来の局内ケーブルの例として示した図４のケーブルに本発明を適用したケーブルを図１に示す。ケーブル外被３の延長部３１が厚肉部つまり打付け部である。図より明らかなように、打付け部の内部には外被材料以外何も無く、ここに前記固定金具を打付けても全く問題が無い。
【００１１】
打付け部に更に貫通穴３０を設けたケーブルの例を図２に示す。貫通穴３０は打付け部のケーブル長手方向に等間隔で開けておくのが好適である。この間隔は数ｃｍとするが、全ての穴に固定金具を通す必要は無く、配線の状況を考慮した固定金具の適用頻度により、使用する穴を適宜変えて良いものである。
【００１２】
【実施例】
図１に示したケーブルの実際の試作例を示す。光ファイバは紫外線硬化型樹脂で被覆された外径２５０μｍのもので、この光ファイバ４心がさらに紫外線硬化型樹脂で被覆され、厚さ４００μｍ、幅１１００μｍの光ファイバテープ心線を構成する。光ファイバテープ心線の外周は抗張力性繊維であるアラミド繊維で覆われ、その外側はケーブル外被によって覆われている。ケーブル外被の材料はポリ塩化ビニル（ＰＶＣ）で、ケーブル全体の厚さは約２．５ｍｍで幅は約５．０ｍｍで、図１におけるように、図の左側にケーブル外被の厚肉部すなわち打付け部を設けたものである。
【００１３】
一方、図４に示した従来のケーブルの幅は約３．５ｍｍであるので、本発明の実施例のケーブルには、これらの幅の差である約１．５ｍｍ幅の打付け部が設けられたことになる。これだけのスペースがあれば、Ｕ字釘や小鋲やネジと言った固定金具の細サイズのものを通すのに十分で、光ファイバを損傷する恐れも無く、安全に作業することができる。
【００１４】
上記打付け部に、固定金具の貫通穴を設けた図２に示すケーブルも試作した。試作では直径約０．５ｍｍの貫通穴を２ｃｍ間隔で設けた。貫通穴が予め設けられていることにより、固定金具をより安全に、スムーズに通すことができる。また、必要により穴の無い部分の打付け部に固定金具を打ち込んでも良い。例えば１ｃｍ間隔でケーブルを固定したいような箇所では、穴と穴の中間にも固定金具を打付けてもよく、前記のとおり安全に作業することができる。
【００１５】
図２のケーブルをＵ字釘によって壁面に固定した状態を図３に示す。図３において、図２と同じ符号は同じ部位を示しているので説明を省略する。４はＵ字釘で５は壁である。図はケーブルの打付け部３１に開けられた貫通穴３０を一つおきに使ってＵ字釘４を壁５に打付けケーブルを固定した状態を示す。打付け部３１があるため、短時間で安全にこれらの作業を行なうことができる。
【００１６】
なお、ここまで本発明を、光ファイバテープ心線を収容した平形のケーブルについて説明したが、本発明はこれに限るものではない。本発明は、単心の光ファイバ或いは単心の光ファイバを複数心収容する光ファイバケーブルにも適用できる。また、外形が丸型のケーブルにも適用できる。この場合は丸型のケーブル外被に厚肉部が設けられていればよい。そしてこの場合の厚肉部は、外被の断面において舌状に張出した部分やヒレ状の部分も含むものである。ただし、断面ほぼ矩形の外被を有するケーブルの場合は、厚肉部を設け易く、本発明の実施が最も容易で、特に使い勝手が良いものになる。
【００１７】
【発明の効果】
本発明は以上のとおりであるから、ケーブルの配線工事において固定金具を打込む際に、光ファイバの損傷などの品質的危惧の無い、作業性の良い光ファイバケーブルが実現できる。
【図面の簡単な説明】
【図１】本発明の光ファイバケーブルの例を示す断面図である。
【図２】本発明の光ファイバケーブルの、他の例を示す斜視図である。
【図３】本発明の光ファイバケーブルの使用状態を示す斜視図である。
【図４】従来の光ファイバケーブルの例を示す断面図である。
【符号の説明】
１：光ファイバ
２：抗張力性繊維
３：ケーブル外被
４：Ｕ字釘
５：壁
１０：光ファイバテープ心線
３０：貫通穴
３１：厚肉部（打付け部）
【図１】
2004354786.tif 000003
【図２】
2004354786.tif 000004
【図３】
2004354786.tif 000005
【図４】
2004354786.tif 000006